(57)【要約】【課題】照射対象物に光源光を照射する照射面に明暗部分が生じるのを防ぐことができる発光装置を提供する。【解決手段】導光板２、及びその導光板２の発光面２ｃに対向して配置されるプリズム面６ａと、このプリズム面６ａと対向するとともに、照射対象物に光を照射する照射面６ｂとを有するレンズシート６を備えた発光装置において、上記導光板２の非発光面２ｂに、ランプ１に対して略放射状に配置した複数のレンズ溝４を設ける。【選択図】      図４
2004253173.tif 000002
【特許請求の範囲】
【請求項１】
発光面と、この発光面と対向する非発光面とを有し、光源からの光を前記発光面から出光する導光板、及び
前記発光面に対向して配置されるとともに、一の方向に等ピッチで複数設けられたレンズ溝を有するプリズム面と、このプリズム面と対向するとともに、照射対象物に光を照射する照射面とを有するレンズシートを備え、
前記導光板の非発光面に、前記光源に対して略放射状に配置した複数のレンズ溝を設けたことを特徴とする発光装置。
【請求項２】
前記非発光面において、細長のランプを用いた線状光源からなる前記光源に対し、少なくとも前記ランプの両端部での当該ランプの非有効発光領域に対向する範囲のレンズ溝を、そのランプ発光領域に対して略放射状に設けたことを特徴とする請求項１に記載の発光装置。
【請求項３】
前記非発光面において、前記複数のレンズ溝が、導光板及び光源を同一平面上でみたときにこれら導光板及び光源の各中心を通る直線に対して、線対称となるように設けられたことを特徴とする請求項１または２に記載の発光装置。
【請求項４】
前記非発光面において、前記複数のレンズ溝は、導光板及び光源を同一平面上でみたときにこれら導光板及び光源の各中心を通る直線から離れるにつれて、光源中心に対するレンズ溝の角度が徐々に大きくなるように設けられたことを特徴とする請求項１〜３のいずれかに記載の発光装置。
【発明の詳細な説明】
【０００１】
【発明の属する技術分野】
本発明は、液晶表示装置等に用いられ、光源からの光を所定方向に導く導光板を有するサイドライト型の発光装置に関する。
【０００２】
【従来の技術】
例えばノート型パソコン（ＰＣ）に使用される液晶表示装置では、一般的に、当該装置及びノート型ＰＣの各厚さ寸法を薄くするために、ＰＣ表示面の側方部に配置される例えば線状光源を備えたサイドライト型のバックライト（発光装置）が用いられている。このようなサイドライト型の発光装置では、上記線状光源からの光（光源光）を導く導光板が用いられており、発光装置はＰＣ表示面全面が光源光によって均一に発光可能なよう液晶表示装置を照射する。
詳細にいえば、上記導光板には、冷陰極管などからなる上記線状光源に平行に配置され、その光源光を内部に導入する導入面と、この導入面の一端部及び他端部に端部がそれぞれ接続されるとともに、互いに向き合うように配置された発光面及び非発光面とが設けられている。そして、発光装置では、導光板の非発光面及びこれに対向配置した反射板によって導入面から導入した光源光を反射させることにより、導光板内を導入面と垂直な方向に光源光を進行させつつ、上記ＰＣ表示面の裏面に向かって発光面から光源光を出光させ液晶表示装置を照射する。
【０００３】
従来の発光装置には、例えば下記特許文献１に記載されているように、略二等辺三角形の断面形状を有する三角条を冷陰極管と直交する方向に複数平行に設けたプリズム面を、上記導光板の非発光面に形成するとともに、特許文献２により提案されたプリズムシートを導光板の発光面と照射対象物としての液晶パネルとの間に配置したものがある。上記シートは、非発光面に形成された三角条と互いに直交するよう冷陰極管と平行な方向に配列されるとともに、非発光面側の三角条と配列方向のみが異なる複数の三角条を備えたものであり、その三角条の一頂点が発光面側に向けられる下向きレンズシートを構成している。そして、この従来装置では、導光板及び下向きレンズシートの各プリズム面により、パネルに照射される光源光の集光効率を高めて同パネルの出光面側に形成される上記ＰＣ表示面での輝度を向上させていた。
【０００４】
【特許文献１】
特開２０００−２１４７９２号公報（第１図）
【特許文献２】
特公平７−２７１３７号公報（第９図）
【０００５】
【発明が解決しようとする課題】
ところで、上記冷陰極管では、その両端部に配置された電極間に発生する放電発光を光源光として利用していた。このため、従来装置では、冷陰極管の各電極に対向配置された部分から上記導光板内部に導入される光源光の光量が、それら電極間に対向配置された部分に比べて、少なくなることがあった。この結果、従来装置では、冷陰極管からの光源光が導入面に均一に導入されずに発光面上での輝度が不均一なものとなり、明暗部分が当該発光面、さらには上記プリズムシートのプリズム面に対向し上記ＰＣ表示面の裏面に向かって光源光を照射する照射面に生じることがあった。
【０００６】
上記のような従来の問題点に鑑み、本発明は、照射対象物に光源光を照射する照射面に明暗部分が生じるのを防ぐことができる発光装置を提供することを目的とする。
【０００７】
【課題を解決するための手段】
本発明の発光装置は、発光面と、この発光面と対向する非発光面とを有し、光源からの光を前記発光面から出光する導光板、及び
前記発光面に対向して配置されるとともに、一の方向に等ピッチで複数設けられたレンズ溝を有するプリズム面と、このプリズム面と対向するとともに、照射対象物に光を照射する照射面とを有するレンズシートを備え、
前記導光板の非発光面に、前記光源に対して略放射状に配置した複数のレンズ溝を設けたことを特徴としている。
【０００８】
上記のように構成された発光装置では、上記レンズシートを用いるとともに、光源に対して略放射状に配置した複数のレンズ溝を導光板の非発光面に設けることにより、本願の発明者は上記発光面及び照射面に明暗部分が生じるのを防げることができることを見出した。つまり、本願の発明者は、導光板内に導入された光源光がその導光板非発光面に設けたレンズ溝に沿って進行することを実験的に見出し、この知見に基づき本発明を完成させた。
【０００９】
また、上記発光装置には、前記非発光面において、細長のランプを用いた線状光源からなる前記光源に対し、少なくとも前記ランプの両端部での当該ランプの非有効発光領域に対向する範囲のレンズ溝を、そのランプ発光領域に対して略放射状に設けてもよい。
この場合、上記光源光はランプ発光領域から非有効発光領域に向かって略放射状に設けられた複数のレンズ溝に沿って進行することとなり、導光板の一部分が上記の非有効発光領域に対向配置されたときでも、その導光板発光面及び上記照射面での明暗部分の発生を確実に防止することができる。
【００１０】
また、上記発光装置には、前記非発光面において、前記複数のレンズ溝が、導光板及び光源を同一平面上でみたときにこれら導光板及び光源の各中心を通る直線に対して、線対称となるように設けてもよい。
この場合、光源光は上記直線に対して線対称に設けられた略放射状の複数のレンズ溝に沿って進行して、明暗部分を生じることなく導光板発光面及び上記照射面を確実に均一輝度にて発光させることができる。
【００１１】
また、上記発光装置には、前記非発光面において、前記複数のレンズ溝は、導光板及び光源を同一平面上でみたときにこれら導光板及び光源の各中心を通る直線から離れるにつれて、光源中心に対するレンズ溝の角度が徐々に大きくなるように設けてもよい。
この場合、導光板発光面及び上記照射面において、上記直線から離れた部分での輝度低下が生じるのを確実に防ぐことができる。
【００１２】
【発明の実施の形態】
以下、本発明の発光装置の好ましい実施形態について、図面を参照しながら説明する。尚、以下の説明では、ノート型ＰＣに使用される液晶表示装置用のバックライトに適用した場合を例示して説明する。
【００１３】
図１は、本発明の発光装置の要部構成を示す斜視図である。図２は図１のＩＩ−ＩＩ線による拡大断面図であり、図３は図１のＩＩＩ−ＩＩＩ線による拡大断面図である。尚、図面の簡略化のために、図１では図２に示すリフレクタ７及びシャーシ８の図示は省略し、図３ではプリズムシート６の図示は省略している。
図において、本実施形態の発光装置は、線状光源を構成するランプ１と、このランプ１に対向して配置されてその照射光（光源光）が導入される導入面２ａ、この導入面２ａの一端部に端部が連続的に設けられた非発光面２ｂ、及び導入面２ａの他端部に端部が連続的に設けられるとともに、当該導入面２ａから導入された光源光を出光する発光面２ｃを有する導光板２と、上記非発光面２ｂの下方に設けられ、光源光を発光面２ｃ側に反射する反射板５とを備えたサイドライト型として構成されている。また、この発光装置では、ノート型ＰＣのＰＣ表示面を構成する上記表示装置の液晶パネル（図示せず）との間に、プリズムシート６が導光板２の発光面２ｃ上に重ねた状態で配置されており、発光装置がランプ１の線状光を面状光に変換して発光面２ｃからシート６を介してパネル裏面に照射することで上記表示面に所望画像が表示される。
【００１４】
上記ランプ１は、細長の冷陰極管タイプの蛍光ランプにより構成されたものであり、その左右両端部に設けられた電極部１ｂにインバータ点灯装置（図示せず）からの高周波電圧が印加されて、当該電極部１ｂ間の発光部１ａにて放電発光し光源光として周囲に照射する。また、このランプ１は、図２に示すように、例えばＪ字状の断面形状を有するリフレクタ７内に配置されて、当該ランプ１からの照射光が上記導入面２ａに効率よく入射されるようになっている。詳細には、同図に示すように、導光板２及びこれに一体的に取り付けられた反射板５は、導入面２ａを先頭にした状態でシャーシ８の本体８ａに取り付けられたリフレクタ７の開口部に挿嵌されており、ランプ１からの照射光が直接的に、またはリフレクタ７を介して間接的に導入面２ａに入射される。また、上記本体８ａ内には、導光板２に一体的に取り付けられたプリズムシート６も収納されており、そのシート６がシャーシ８の上蓋８ｂに当接して下方に押さえられ状態で、反射板５が一体化された導光板２がシャーシ８に取り付けられている。
【００１５】
上記反射板５は、合成樹脂材や金属材により構成されたものであり、非発光面２ｂ側の表面が白色に塗装されてその非発光面２ｂから入射される光源光を発光面２ｃ側に効率よく反射する。
上記プリズムシート６は、発光面２ｃに対向する面に、略二等辺三角形の断面形状を有する三角条を複数設けたプリズム面６ａが形成されたものであり、発光面２ｃから出射された光源光を集光する下向きレンズを構成している。そして、このシート６では、プリズム面６ａに対向する照射面６ｂから上記パネル裏面に向かって光源光を出光する。また、プリズム面６ａの上記三角条は、その条方向が例えばランプ１と平行な方向に平行に設けられている。尚、この説明以外に、必要に応じて拡散シートや偏光シートなどの他の光学シートを上記シート６上に配置してもよい。
【００１６】
上記導光板２は、射出成型法により、例えば透明なアクリル樹脂を所望形状に成型したものであり、上記ＰＣ表示面全面が均一に発光されるよう導入面２ａから導入された上記光源光を導き、かつ発光面２ｃから出射する。また、この導光板２は、上記導入面２ａの厚さ寸法がその対向する面のものより大きい寸法となるように、互いに対向する非発光面２ｂと発光面２ｃとを非平行にした楔形状に形成されている。
上記非発光面２ｂには、略二等辺三角形の断面形状を有する三角条を複数設けたプリズム面３が反射板５側の表面（下向き）に形成されており、上記反射板５により反射されて再度入射された光を含む光源光を発光面２ｃ側に集光する。また、このプリズム面３の上記三角条は、バイト等の切削工具を用いた切削加工を非発光面２ｂに施すことによって形成されたものであり、隣り合う２つの三角条で各々構成される複数のレンズ溝４がランプ１に対して略放射状となるよう当該非発光面２ｂに設けられている。そして、導光板２は、プリズム面３により発光面２ｃ側に光源光を集光して当該発光面２ｃでの輝度アップを行うとともに、略放射状のレンズ溝４により導入面２ａから導入された光源光を当該導入面２ａに対向する面に向かって導きつつ、明暗部分が発光面２ｃ及び上記照射面６ｂに発生するのを防ぐことができるようになっている。
【００１７】
具体的には、図４に示すように、ランプ１の中心に一致するように中心線ＣＬに合わせて配置された導光板２の非発光面２ｂにおいて、上記レンズ溝４はランプ１の発光領域Ａ０及び非有効発光領域Ａ１に応じて、図の左右方向で３つの部分に分けられる。つまり、レンズ溝４には、ランプ発光領域Ａ０である発光部１ａに対応して配置されるとともに、同発光部１ａの左右方向寸法よりも若干短い寸法Ｌ２の範囲に設定されたセンターの複数のレンズ溝４Ｂと、このレンズ溝４Ｂの左右側方に設けられるとともに、発光部１ａ及びランプ非有効発光領域Ａ１である電極部１ｂに跨って配置されるように、電極部１ｂの左右方向寸法よりも若干長い寸法Ｌ１及びＬ３の範囲に設定されたサイド側の複数のレンズ溝４Ａ及び４Ｃとが含まれている。
【００１８】
また、レンズ溝４は、図４に示したように、導光板２及びランプ１を同一平面上でみたときに中心線ＣＬに対して線対称となるように設けられたものであり、サイド側のレンズ溝４Ａ及び４Ｃの各寸法Ｌ１及びＬ３にはこれらの寸法Ｌ１及びＬ３に上記寸法Ｌ２を加えたトータル寸法（すなわち、上記導入面２ａの長手方向寸法）の１／４〜１／３程度の同一寸法が選択されている。
各レンズ溝４Ｂは、ランプ１と直交する方向（中心線ＣＬに平行な方向）と平行で、上記三角条の隣接する２つの稜線３ａ（図に実線にて図示）間寸法に等しい均一な溝ピッチで非発光面２ｂに形成されており、対向する発光部１ａから入射した光源光を図の上下方向に直進させる。尚、図４、後続の図７、図８、及び図９では、レンズ溝を明瞭に図示するために、実際のものより溝ピッチを誇張して示している。
【００１９】
一方、各レンズ溝４Ａ及び４Ｃは、それぞれ対応する左右方向外側に同じ角度で傾けられたものであり、センターのレンズ溝４Ｂに隣接する部分では、非発光面２ｂの途中部分からも導光板２の対応する隅部側に向かって当該溝４Ａ及び４Ｃが形成されている。そして、これらレンズ溝４Ａ及び４Ｃは、発光部１ａの対応する端部から電極部１ｂ側に放射された光源光やレンズ溝４Ｂに沿って進行している光源光を入射し、それらの入射光を電極部１ｂに対向する非発光面２ｂの部分に伝え、その部分に対向する発光面２ｃの部分での輝度を高めて明暗部分が発光面２ｃ及び上記照射面６ｂに発生するのを防止する。尚、上記三角条の谷線３ｂ（図に二点鎖線にて図示）で示される溝中心線が中心線ＣＬに対して０．０１〜４５°範囲の傾斜角度を有するように、各レンズ溝４Ａ及び４Ｃは非発光面２ｂに形成されている。
【００２０】
ここで、図５及び図６を参照して、本願の発明者が実施した実験結果について説明する。
図５は、本発明の基本原理を説明する図であり、（ａ）は実験品における複数のレンズ溝を示す平面図であり、（ｂ）はその測定結果の一例を示す図である。図６（ａ）は従来相当品でのレンズ溝を示す平面図であり、同図（ｂ）はその測定結果例を示す図である。尚、図５（ａ）及び図６（ａ）では、図面の簡略化のために、レンズ溝はその上記溝中心線のみ図示する。
まず、従来相当品では、図６（ａ）に示すように、複数のレンズ溝４２はランプ１に対して９０°となる角度で導光板２２の非発光面２２ｂに形成されており、ランプ１の電極部１ｂに対向するレンズ溝４２には同ランプ１の発光部１ａから照射光が入射されにくかった。この結果、図６（ｂ）に黒く塗りつぶした部分にて示すように、この従来相当品でのレンズシート６２の照射面６２ｂでは、電極部１ｂに対向する左右両端部での輝度が発光部１ａに対向する中央部分のものに比べ暗くなった。また、このように明暗部分が照射面６２ｂに生じると、上記液晶パネルの表示面でも明暗部分が発生して表示画像の品位低下を招く。
【００２１】
そこで、本願の発明者は、図５（ａ）に示すように、例えば２°の傾斜角度を有する複数のレンズ溝４１を非発光面２１ｂに等ピッチで形成して、ランプ１の光源光を導光板２１内に導入した。この結果、図５（ｂ）に示すように、レンズシート６１の照射面６１ｂにおいて、図の左側の電極部１ｂに対向する部分は、発光部１ａに対向する部分と同じ輝度で発光した。また、図の右側の電極部１ｂに対向する部分は、発光部１ａに対向する部分よりも低い輝度となってレンズ溝４１の形状に応じた暗い部分が表れていた。また、このシート６１の下方に設けられた導光板２１の発光面２１ｃでも、照射面６１ｂと同様な明暗部分が生じていた。つまり、この実験品から明らかなように、光源光はレンズ溝に沿って進行することが判明した。そこで、本願の発明者は、図４に示したように、ランプ発光領域Ａ０に対向する範囲のレンズ溝４Ｂをランプと直交する方向に設けるとともに、ランプ非有効発光領域Ａ１に対向する範囲のレンズ溝４Ａ及び４Ｃを、光源光をランプ１から入射可能で、かつ左右方向外側に傾けることにより、明暗部分を生じることなく均一の輝度で発光する発光面２ｃ及び照射面６ｂを得ることができた。
【００２２】
以上のように構成された本実施形態では、導光板２の非発光面２ｂに略放射状に設けた複数のレンズ溝４により、明暗部分が発光面２ｃ及び照射面６ｂに発生するのを防止しているので、発光装置は上記液晶パネルに向かって均一な輝度の面状光を照射することができ、当該パネルのＰＣ表示面に輝度差（発光ムラ）が生じるのを容易に防いで高品位な画像を表示させることができる。また、このように照射面６ｂが均一輝度の面状光を出光できるので、ランプ１の光源光の利用効率を高めることができるとともに、照射面６ｂの照度を一定で安定させることができ、明るさ（輝度及び照度）の分布で規定される照射面６ｂの均斉度を向上させることができる。
【００２３】
また、本実施形態では、サイド側のレンズ溝４Ａ及び４Ｃにより、ランプ１の電極部１ｂ（非有効発光領域Ａ１）に対向するよう配置される発光面２ｃでの左右側方部分を同発光面２ｃの中央部分と同一輝度にて発光させることができるので、導入面２ａの光源光を入射する入射辺の長さよりも、ランプ１の発光部１ａ（発光領域Ａ０）の長さが短い場合でも、発光面２ｃ及び照射面６ｂでの明暗部分の発生を確実に防止することができる。
【００２４】
また、本実施形態では、レンズ溝４がランプ１及び導光板２の各中心を通る上記中心線ＣＬに対して線対称となるよう略放射状に設けられているので、導光板２の中央部分を進行する光源光の光量に対して、同導光板２の左右隅部に向かって進行する光源光の光量が低下するのを防いで明暗部分を生じることなく発光面２ｃ及び照射面６ｂを確実に均一輝度にて発光させることができる。
尚、上記の説明では、図４に示したように、上記三角条の稜線３ａを中心線ＣＬに一致させ当該中心線ＣＬに関して、レンズ溝４を線対称に設けた場合について説明したが、上記谷線３ｂを中心線ＣＬに一致させて線対称に設けてもよい。
【００２５】
図７は、別の実施形態の発光装置における複数のレンズ溝を示す拡大平面図である。この実施形態と図４に示した実施形態との相違点は、少なくともランプ１の電極部１ｂに対向する範囲に設けられた複数のレンズ溝１４Ａ及び１４Ｃの傾斜角度を非発光面２ｂの中央部から左右側に離れるにつれて徐々に大きくした点である。
図において、本実施形態の発光装置では、複数のレンズ溝１４のうち、センターの複数のレンズ溝１４Ｂは上記レンズ溝４Ｂと同様にランプ１と直交する方向と平行で均一な溝ピッチで非発光面２ｂに形成されている。また、このレンズ溝１４Ｂの両サイドに設けられた複数のレンズ溝１４Ａ及び１４Ｃでは、隣接する２つのレンズ溝において、外側のレンズ溝は内側のレンズ溝より大きい傾斜角度で形成されている。例えば図の左側のレンズ溝１４Ａでは、上記レンズ溝１４Ｂの隣りのレンズ溝１４Ａよりも、その溝左側のレンズ溝１４Ａの方が大きい傾斜角度で非発光面２ｂに形成されている。尚、隣接する２つのレンズ溝での傾斜角度の変化量は、２°以下にすることが好ましい。このように構成することにより、図４に示した実施形態のように、非発光面２ｂの途中部分からレンズ溝を形成することなく、導光板２の左右隅部に向かって進行する光源光の光量低下を確実に防ぐことができる。しかも、図４に示した実施形態では、ランプ１からの光源光の輝度やサイド側のレンズ溝の傾斜角度などによっては、上記途中部分でのセンター及びサイド側のレンズ溝の接続（境界）部分で光源光が進行しにくくなって、この境界部分上方の発光面２ｃ及び照射面６ｂが輝度低下を生じることがあるが、本実施形態では、上記のような境界部分を非発光面２ｂの途中部分に設けていないことから、均一輝度で発光可能な発光面２ｃ及び照射面６ｂをより容易に得ることができる。
【００２６】
図８は、さらに別の実施形態の発光装置における複数のレンズ溝を示す拡大平面図である。この実施形態と図４に示した実施形態との主な相違点は、ランプ１の配列方向と直交する方向に配列される上記センターのレンズ溝４Ｂを設けることなく、ランプ１に対して完全に放射状に配置された複数のレンズ溝２４を設けた点である。
図において、本実施形態の発光装置では、複数のレンズ溝２４は、導光板２及びランプ１を同一平面上でみたときに中心線ＣＬに対して線対称となるように設けられており、当該中心線ＣＬを境界線として、図の左右方向外側にそれぞれ傾くように非発光面２ｂに形成された複数のレンズ溝２４Ａ及び２４Ｂを備えている。さらに、これらのレンズ溝２４Ａ及び２４Ｂでは、図７に示した実施形態と同様に、隣接する２つのレンズ溝において、中心線ＣＬから離れるにつれて、ランプ１の中心に対する傾斜角度が徐々に大きくなるように設けられている。このように構成することにより、図７に示した実施形態と同様な効果を得ることができるとともに、図７のものに比べて発光部１ａから電極部１ｂ側に進行させる光源光の光量を容易にアップさせることができ、発光面２ｃ及び照射面６ｂにおいて、中心線ＣＬから離れた部分での輝度低下が生じるのを確実に防ぐことができる。
【００２７】
図９は、さらに別の実施形態の発光装置における複数のレンズ溝を示す拡大平面図である。この実施形態と図４に示した実施形態との主な相違点は、ランプ１からなる線状光源に代えて、点状光源を用いた点である。
図において、本実施形態の発光装置では、上記点状光源としての発光ダイオード（ＬＥＤ）１１が用いられている。この発光ダイオード１１は、その中心が導光板２の中心と一致するよう配置されている。また、導光板２では、複数のレンズ溝３４が、導光板２及び発光ダイオード１１を同一平面上でみたときに中心線ＣＬに対して線対称となるように設けられており、当該中心線ＣＬを境界線として、図の左右方向外側にそれぞれ傾くように非発光面２ｂに形成された複数のレンズ溝３４Ａ及び３４Ｂを備えている。さらに、これらのレンズ溝３４Ａ及び３４Ｂでは、図７に示した実施形態と同様に、隣接する２つのレンズ溝において、中心線ＣＬから離れるにつれて、発光ダイオード１１の中心に対する傾斜角度が徐々に大きくなるように設けられている。以上の構成により、発光ダイオード１１からの光源光を用いて、明暗部分を生じることなく発光面２ｃ及び照射面６ｂを均一輝度にて発光させることができる。尚、この実施形態の説明では、点状光源として発光ダイオード１１を用いた場合について説明したが、メタルハライド等の高輝度放電ランプなどの他のランプを用いた点状光源にも適用することができる。
【００２８】
尚、上記の説明では、非発光面２ｂと発光面２ｃとを非平行にした楔形状の導光板２に適用した場合について説明したが、本発明はこれに限定されるものではなく、これら非発光面２ｂと発光面２ｃとを互いに平行にした平板形状の導光板にも適用することができる。
また、上記の説明では、上記三角条の条方向がランプ１と平行な方向に平行に設けられたプリズム面６ａを有するプリズムシート６を用いた構成について説明したが、本発明はこれに限定されるものではなく、一の方向に等ピッチで複数設けられたレンズ溝を有するプリズム面を発光面２ｃに対向配置するプリズム（レンズ）シートであれば、そのレンズの配列方向は何等上記のものに限定されない。
【００２９】
また、上記の説明では、切削工具を用いた切削加工によってレンズ溝を導光板に形成する構成について説明したが、本発明はこれに限定されるものではなく、例えば複数のレンズ溝を形成可能な金型を用いることにより、導光板を成型する上記射出成型法の完了時に当該レンズ溝を導光板に形成してもよい。また、導光板とは別体、例えば透明なシート材の一面に上記のレンズ溝を形成し、そのシート材の他面を透明な接着層によって非発光面に密着させてもよい。また、各レンズ溝を隣り合う２つの上記三角条の間に構成した場合について説明したが、他の断面形状を有するプリズム（レンズ）、例えばかまぼこ状のレンズの間に形成されるレンズ溝を用いることもできる。
【００３０】
また、上記の説明では、ノート型ＰＣに使用される液晶表示装置を照射するバックライトに適用した場合について説明したが、本発明はこれに限定されるものではなく、液晶テレビのディスプレイ、あるいは携帯電話等を含む携帯情報端末（ＰＤＡ）などの表示面を構成する液晶表示装置を照射するバックライト、または写真ネガ、レントゲン写真等に光を照射して視認をし易くするためのライトボックス、または看板や駅構内の壁面などに設置される広告等をライトアップする発光装置に好適に用いることができる。
【００３１】
【発明の効果】
本発明によれば、導光板の発光面から出射される面状光の輝度に部分的なばらつきを生じることなく均一なものとして上記照射面に明暗部分が生じるのを防ぐことができるので、液晶表示装置などのバックライトに好適な発光装置を容易に構成することができる。
【図面の簡単な説明】
【図１】本発明の一実施形態に係る発光装置の要部構成を示す斜視図である。
【図２】図１のＩＩ−ＩＩ線による拡大断面図である。
【図３】図１のＩＩＩ−ＩＩＩ線による拡大断面図である。
【図４】図１に示した導光板の非発光面に形成された複数のレンズ溝を示す拡大平面図である。
【図５】本発明の基本原理を説明する説明図であり、（ａ）は実験品における複数のレンズ溝を示す平面図であり、（ｂ）はその測定結果の一例を示す図である。
【図６】（ａ）は従来相当品でのレンズ溝を示す平面図であり、（ｂ）はその測定結果例を示す図である。
【図７】別の実施形態の発光装置における複数のレンズ溝を示す拡大平面図である。
【図８】さらに別の実施形態の発光装置における複数のレンズ溝を示す拡大平面図である。
【図９】さらに別の実施形態の発光装置における複数のレンズ溝を示す拡大平面図である。
【符号の説明】
１    ランプ（線状光源）
２    導光板
２ｂ    非発光面
２ｃ    発光面
４、１４、２４、３４    レンズ溝
６    プリズムシート
６ａ    プリズム面
６ｂ    照射面
１１    発光ダイオード（光源）
【図１】
2004253173.tif 000003
【図２】
2004253173.tif 000004
【図３】
2004253173.tif 000005
【図４】
2004253173.tif 000006
【図５】
2004253173.tif 000007
【図６】
2004253173.tif 000008
【図７】
2004253173.tif 000009
【図８】
2004253173.tif 000010
【図９】
2004253173.tif 000011